(57)【特許請求の範囲】
【請求項１】
動画データを出力する撮像手段と、
予め用意された１以上のシーンに対応した動画データを記録するためのデータであって、各シーンの推奨撮影時間の情報を含むシナリオデータを記憶するシナリオ記憶手段と、
前記撮像手段により得られた動画データを記録媒体に記録する記録手段と、
動画データの記録に関する指示を受ける操作入力手段と、
前記記録手段が、前記操作入力手段からの記録開始の指示に応じて動画データの記録を開始し、記録停止の指示に応じて記録を停止する手動記録モードと、前記記録手段が、前記記録開始の指示に応じて動画データの記録を開始し、設定された記録時間が経過した後、自動的に記録を停止する自動記録モードとを含む複数の記録モードの何れかを設定する手段と、
前記操作入力手段からの指示に応じて、前記自動記録モードにおける動画データの記録時間を、複数の所定の記録時間の何れかに設定する記録時間設定手段と、
前記シナリオデータに基づいて、前記シナリオデータの各シーンに対応した動画データを記録するように前記記録手段を制御する制御手段と、
前記シナリオデータの各シーンに対応した動画データを前記自動記録モードで記録する場合の記録時間を、各シーンの推奨撮影時間とするか否かを、前記操作入力手段の指示に応じて選択する選択手段
とを有し、
前記制御手段は、前記選択手段により各シーンの推奨撮影時間とすることが選択された場合、前記記録開始の指示に応じて動画データの記録を開始した後、記録される動画データに対応するシーンの推奨撮影時間が経過したことに応じて自動的に記録を停止するように前記記録手段を制御し、前記選択手段により各シーンの推奨撮影時間とすることが選択されない場合、前記シナリオデータの各シーンに対応する動画データそれぞれについて、前記記録開始の指示に応じて記録を開始した後、前記記録時間設定手段により設定された記録時間が経過したことに応じて自動的に記録を停止するように前記記録手段を制御する
ことを特徴とする撮像装置。
【請求項２】
前記シナリオ記憶手段は、複数の前記シナリオデータを記憶し、
前記制御手段は、前記シナリオ記憶手段に記憶された複数の前記シナリオデータから選択されたシナリオデータに基づいて、前記記録手段を制御することを特徴とする請求項１に記載の撮像装置。
【請求項３】
前記撮像手段により得られた動画データを示す画像と、前記シナリオデータのシーン名及び前記推奨撮影時間に関する情報を表示する表示手段を有することを特徴とする請求項１又は２に記載の撮像装置。
【請求項４】
前記表示手段は更に、前記シナリオデータに含まれる複数のシーンから選択されたシーンに対応した動画データの記録中に、前記選択されたシーンのシーン名と前記選択されたシーンの推奨撮影時間の情報を表示することを特徴とする請求項３に記載の撮像装置。
【請求項５】
動画データを出力する撮像手段と、前記撮像手段により得られた動画データを記録媒体に記録する記録手段と、動画データの記録に関する指示を受ける操作入力手段とを有する撮像装置を制御する方法であって、
予め用意された１以上のシーンに対応した動画データを記録するためのデータであって、各シーンの推奨撮影時間の情報を含むシナリオデータをシナリオ記憶手段に記憶するシナリオ記憶ステップと、
前記記録手段が、前記操作入力手段からの記録開始の指示に応じて動画データの記録を開始し、記録停止の指示に応じて記録を停止する手動記録モードと、前記記録手段が、前記記録開始の指示に応じて動画データの記録を開始し、設定された記録時間が経過した後、自動的に記録を停止する自動記録モードとを含む複数の記録モードの何れかを設定するステップと、
前記操作入力手段からの指示に応じて、前記自動記録モードにおける動画データの記録時間を、複数の所定の記録時間の何れかに設定する記録時間設定ステップと、
前記シナリオデータに基づいて、前記シナリオデータの各シーンに対応した動画データを記録するように前記記録手段を制御する制御ステップと、
前記シナリオデータの各シーンに対応した動画データを前記自動記録モードで記録する場合の記録時間を、各シーンの推奨撮影時間とするか否かを、前記操作入力手段の指示に応じて選択する選択ステップ
とを有し、
前記制御ステップは、前記選択ステップで各シーンの推奨撮影時間とすることが選択された場合、前記記録開始の指示に応じて動画データの記録を開始した後、記録される動画データに対応するシーンの推奨撮影時間が経過したことに応じて自動的に記録を停止するように前記記録手段を制御し、前記選択ステップで各シーンの推奨撮影時間とすることが選択されない場合、前記シナリオデータの各シーンに対応する動画データそれぞれについて、前記記録開始の指示に応じて記録を開始した後、前記記録時間設定ステップにより設定された記録時間が経過したことに応じて自動的に記録を停止するように前記記録手段を制御する
ことを特徴とする撮像装置の制御方法。
【発明の詳細な説明】
【技術分野】
【０００１】
本発明は、撮像装置とその制御方法に関し、より具体的には、動画を撮影する撮像装置とその制御方法に関する。
【背景技術】
【０００２】
従来、動画を撮影し、記録する装置としてビデオカメラが知られている。一般に、子供の運動会や入学式、或いは旅行などの行事を撮影するのにビデオカメラが用いられることが多い。そこで、予め行事にあわせたシナリオを用意しておき、ユーザがシナリオを参考にしながら撮影することで、撮影された作品の出来栄えをよくする技術が提案されている（例えば、特許文献１参照）。
【０００３】
また、従来、撮影開始から決められた時間が経過すると、自動的に撮影を停止する自動停止モードを備えたビデオカメラも知られている（例えば、特許文献２参照）。
【先行技術文献】
【特許文献】
【０００４】
【特許文献１】特開２００３−０７８８６８号公報
【特許文献２】特開平０６−１５３０２８号公報
【発明の概要】
【発明が解決しようとする課題】
【０００５】
従来、シナリオ撮影と自動停止モードを同時に利用できるビデオカメラは無かった。
【０００６】
本発明は、シナリオ撮影を行う場合に、自動で撮影を停止する機能を備える撮像装置とその制御方法を提供することを目的とする。
【課題を解決するための手段】
【０００７】
本発明に係る撮像装置は、動画データを出力する撮像手段と、予め用意された１以上のシーンに対応した動画データを記録するためのデータであって、各シーンの推奨撮影時間の情報を含むシナリオデータを記憶するシナリオ記憶手段と、前記撮像手段により得られた動画データを記録媒体に記録する記録手段と、動画データの記録に関する指示を受ける操作入力手段と、前記記録手段が、前記操作入力手段からの記録開始の指示に応じて動画データの記録を開始し、記録停止の指示に応じて記録を停止する手動記録モードと、前記記録手段が、前記記録開始の指示に応じて動画データの記録を開始し、設定された記録時間が経過した後、自動的に記録を停止する自動記録モードとを含む複数の記録モードの何れかを設定する手段と、前記操作入力手段からの指示に応じて、前記自動記録モードにおける動画データの記録時間を、複数の所定の記録時間の何れかに設定する記録時間設定手段と、前記シナリオデータに基づいて、前記シナリオデータの各シーンに対応した動画データを記録するように前記記録手段を制御する制御手段と、前記シナリオデータの各シーンに対応した動画データを前記自動記録モードで記録する場合の記録時間を、各シーンの推奨撮影時間とするか否かを、前記操作入力手段の指示に応じて選択する選択手段とを有し、前記制御手段は、前記選択手段により各シーンの推奨撮影時間とすることが選択された場合、前記記録開始の指示に応じて動画データの記録を開始した後、記録される動画データに対応するシーンの推奨撮影時間が経過したことに応じて自動的に記録を停止するように前記記録手段を制御し、前記選択手段により各シーンの推奨撮影時間とすることが選択されない場合、前記シナリオデータの各シーンに対応する動画データそれぞれについて、前記記録開始の指示に応じて記録を開始した後、前記記録時間設定手段により設定された記録時間が経過したことに応じて自動的に記録を停止するように前記記録手段を制御することを特徴とする。
また、本発明にかかる撮影装置の制御方法は、動画データを出力する撮像手段と、前記撮像手段により得られた動画データを記録媒体に記録する記録手段と、動画データの記録に関する指示を受ける操作入力手段とを有する撮像装置を制御する方法であって、予め用意された１以上のシーンに対応した動画データを記録するためのデータであって、各シーンの推奨撮影時間の情報を含むシナリオデータをシナリオ記憶手段に記憶するシナリオ記憶ステップと、前記記録手段が、前記操作入力手段からの記録開始の指示に応じて動画データの記録を開始し、記録停止の指示に応じて記録を停止する手動記録モードと、前記記録手段が、前記記録開始の指示に応じて動画データの記録を開始し、設定された記録時間が経過した後、自動的に記録を停止する自動記録モードとを含む複数の記録モードの何れかを設定するステップと、前記操作入力手段からの指示に応じて、前記自動記録モードにおける動画データの記録時間を、複数の所定の記録時間の何れかに設定する記録時間設定ステップと、前記シナリオデータに基づいて、前記シナリオデータの各シーンに対応した動画データを記録するように前記記録手段を制御する制御ステップと、前記シナリオデータの各シーンに対応した動画データを前記自動記録モードで記録する場合の記録時間を、各シーンの推奨撮影時間とするか否かを、前記操作入力手段の指示に応じて選択する選択ステップとを有し、前記制御ステップは、前記選択ステップで各シーンの推奨撮影時間とすることが選択された場合、前記記録開始の指示に応じて動画データの記録を開始した後、記録される動画データに対応するシーンの推奨撮影時間が経過したことに応じて自動的に記録を停止するように前記記録手段を制御し、前記選択ステップで各シーンの推奨撮影時間とすることが選択されない場合、前記シナリオデータの各シーンに対応する動画データそれぞれについて、前記記録開始の指示に応じて記録を開始した後、前記記録時間設定ステップにより設定された記録時間が経過したことに応じて自動的に記録を停止するように前記記録手段を制御することを特徴とする。
【発明の効果】
【０００８】
本発明によれば、シナリオ撮影を行う場合に、自動で撮影を停止することが可能となる。
【図面の簡単な説明】
【０００９】
【図１】本発明の一実施例であるビデオカメラの概略構成ブロック図である。
【図２】シナリオデータ例を示す表である。
【図３】自動停止モードにおける表示画面例である。
【図４】シナリオ撮影モードにおける表示画面例である。
【図５】シナリオ撮影モードでの自動停止モードの記録時間の設定画面例である。
【図６】本実施例の記録動作を示すフローチャートである。
【図７】シナリオ撮影モードと自動停止モードが設定された場合の表示画面例である。
【発明を実施するための形態】
【００１０】
以下、図面を参照して、本発明の実施例を詳細に説明する。
【実施例１】
【００１１】
図１は、本発明に係る撮像装置の一実施例であるビデオカメラ１００の概略構成ブロック図である。撮像部１０１は被写体を撮影し、被写体を示す動画データを生成して出力する。撮像部１０１は、ズームレンズ、フォーカスレンズ及び絞り等の光学系と、ＣＣＤ撮像素子等のイメージセンサを含む。撮像部１０１はまた、撮像素子から出力される画像データをデジタルデータに変換するＡ／Ｄ変換器、及び当該Ａ／Ｄ変換器から出力される画像データ処理して所定の動画データを出力する画像処理回路等を含む。音声入力部１０２はマイクロフォン、アンプ及びＡ／Ｄ変換器等を有し、周囲の音声を取り込み、その音声データを出力する。
【００１２】
メモリ１０３は、撮像部１０１から出力される動画データ、音声入力部１０２からの音声データ、表示用の画像信号、圧縮された動画データ、及びその他の情報を一時的に記憶する手段である。
【００１３】
信号処理部１０４は、記録時又は記録モードでは、撮影された動画データをＭＰＥＧ等の公知の符号化方式に従って符号化し、得られた圧縮動画データをメモリ１０３に記憶する。また、信号処理部１０４は、再生時又は再生モードでは、記録媒体から読み出された圧縮動画データ及び音声データを復号化し、再生動画データ及び再生音声データを生成する。
【００１４】
表示制御部１０５は、制御部１０７からの指示に従い、動画及び各種の情報を表示部１０６に表示させる。表示部１０６は、液晶表示パネル等の公知の表示装置からなる。
【００１５】
制御部１０７はマイコンやその他必要なメモリを有し、不図示の不揮発メモリに記憶されたプログラムに従い、操作部１０８からの指示に応じてビデオカメラ１００の各部を制御する。操作部１０８は、電源スイッチ、動画像の撮影開始／停止を指示するトリガスイッチ、メニュースイッチ等の各種スイッチ、及びタッチパネル等の、ユーザにより操作可能な手段からなる。ビデオカメラ１００では、表示部１０６の液晶表示パネルと操作部１０８のタッチパネルが一体的に構成されている。制御部１０７は、操作部１０８からのユーザの指示を受け付ける。また、ユーザはメニュースイッチを操作して表示部１０６にメニュー画面を表示させ、このメニュー画面を利用してビデオカメラ１００の動作モードを変更し、また、設定を変更できる。
【００１６】
記録再生部１０９は、制御部１０７からの指示に従い、動画データ、音声データ及び各種の情報を記録媒体１１０に記録又は書き込み、記録媒体１１０から記録データを再生又は読み出す。記録媒体１１０は、メモリカード又はハードディスク（ＨＤＤ）等のランダムアクセス可能な記録媒体である。本実施例では、記録媒体１１０は、フラッシュメモリを内蔵した交換可能なメモリカードからなる。記録媒体１１０は、不図示の装着排出機構により、ユーザがビデオカメラ１００に容易に装着及び排出できる。
【００１７】
出力部１１１は、撮影時には、撮像部１０１による動画データと音声入力部１０２からの音声データを外部に出力し、再生時には、再生動画データ及び再生音声データを外部に出力する。タイマ１１２は、現在の日時を計測するほか、制御部１０７からの指示に従い、撮影開始からの経過時間を計測して制御部１０７に通知する。シナリオ記憶部１１３は不揮発メモリを有し、後述のシナリオデータを記憶する。内部バス１１４は、ビデオカメラ１００の各部の間で、各種のデータやコマンドを転送するために用いられる。
【００１８】
ビデオカメラ１００の記録処理を説明する。ビデオカメラ１００は、撮影モードの停止に関して、撮影者の手動操作により撮影（記録）を停止する手動停止モードと、撮影開始から所定時間の経過で撮影を自動停止する自動撮影モードとを具備する。ビデオカメラ１００はまた、撮影中に、シナリオ記憶部１１３に記憶されたシナリオの内容を表示部１０６に表示するシナリオ撮影モードを備える。このシナリオ撮影モードでは、ユーザは、表示されるシナリオを参照しながら撮影を行うことができる。シナリオ撮影モードは、手動停止モードと併用可能であり、自動停止モードとも併用可能である。手動停止モードを設定した撮影モードは、いわば手動停止撮影モードであり、自動停止モードを設定した撮影モードは自動停止撮影モードである。
【００１９】
手動停止モードの動作を説明する。操作部１０８によりビデオカメラ１００の電源が投入されると、制御部１０７はビデオカメラ１００の動作モードを手動停止モードに設定する。この時点で、ビデオカメラ１００は記録待機状態となり、制御部１０７は次のように各部を制御する。すなわち、撮像部１０１は、被写体の動画像を示す動画データを出力し、この動画データは、メモリ１０３に逐次的に書き込まれる。メモリ１０３に記憶された動画データは読み出され、表示部１０６に動画として表示される。
【００２０】
この記録待機状態で、操作部１０８によりユーザが記録開始を指示したとする。制御部１０７は各部を制御し、動画と音声の記録を開始する。具体的には、信号処理部１０４は、メモリ１０３に記憶された動画データと音声データを圧縮し、得られた圧縮データをメモリ１０３に書き戻す。制御部１０７は、メモリ１０３の圧縮データ（圧縮動画データ及び圧縮音声データ）に所定の付加情報を付加し、その後、記録再生部１０９に記録媒体１１０への記録を指示する。記録再生部１０９は、制御部１０７からの指示に従い、メモリ１０３から圧縮データ（圧縮動画データと圧縮音声データ）を付加情報と共に読み出し、一つの動画ファイルとして記録媒体１１０に記録する。
【００２１】
記録開始後に、ユーザが操作部１０８により記録停止を指示すると、制御部１０７は、動画の記録を停止するように記録再生部１０９に指示する。記録再生部１０９は、動画及び音声を記録していた記録媒体１１０の動画ファイルをクローズする。制御部１０７は、記録停止に伴い、記録媒体１１０に記録された動画と音声に関する管理情報を生成してメモリ１０３に書き込む。そして、制御部１０７は、管理情報を含む管理ファイルを動画ファイルとは別に記録媒体１１０に記録するように記録再生部１０９に指示する。記録再生部１０９は、この指示に従い、メモリ１０３から管理情報を読み出して管理ファイルに追記して、その管理ファイルを記録媒体１１０に記録する。記録媒体１１０に既に管理ファイルが存在する場合、記録媒体１１０の既存の管理ファイルは、直前に記録された動画ファイルの管理情報を含む内容で更新されることになる。
【００２２】
自動停止モードの動作を説明する。撮影待機状態において、ユーザは、操作部１０８を操作して、自動停止モードを設定できる。自動停止モードに設定された後にユーザが操作部１０８で撮影開始を指示すると、制御部１０７は、手動停止モードの場合と同様に、動画と音声の記録を開始する。ただし、自動停止モードでは、制御部１０７は、撮影開始の指示に応じて、タイマ１１２に設定時間（記録時間）を知らせると共に、経過時間の計測開始を指示する。タイマ１１２は、制御部１０７からの経過時間の計測開始の指示を受けると、経過時間の計測を開始する。タイマ１１２は、経過時間が設定時間（記録時間）に到達すると、その旨を制御部１０７に通知する。
【００２３】
制御部１０７は、タイマ１１２から設定時間への到達の通知を受けとると、動画と音声の記録を停止するように各部を制御する。すなわち、記録再生部１０９は、制御部１０７からの記録停止の指示に応じて動画と音声の記録媒体１１０への記録を停止する。また、制御部１０７は、自動停止モードでの記録を示す付加情報を含む管理情報を生成し、記録再生部１０９に指示して、その動画ファイルの管理情報として記録媒体１１０に記録させる。
【００２４】
図３は、自動停止モードにおいて、撮影中に表示部１０６に表示される画面の例を示す。自動停止モードが設定されると、枠３０１が表示される。枠３０１に多重して、１秒毎の経過時間を示すマーク３０３が表示される。マーク３０３は、画面上の上下左右の各辺のほぼ中央に表示される。撮影が開始されると、ハッチング３０４で示す様に、時間の経過に伴って枠３０１の色がマーク３０２より右回りに順次変更していく。枠３０１の色が変化する速度は、自動停止モードの設定時間（記録時間）が経過するとちょうど枠３０１を一周するように設定される。マーク３０５は、撮影中を示す情報であり、撮影中に表示され、撮影中以外のときは表示されない。また、撮影開始からの経過時間を示す文字列３０６も表示される。
【００２５】
本実施例では、ユーザは、自動停止モードにおける記録時間を、予め用意された複数の時間の中から選択できる。例えば、ユーザは、自動停止モードの記録時間として、２秒、４秒及び８秒のうちの何れかを選択できる。
【００２６】
制御部１０７は、ユーザが設定した記録時間の情報をメモリ１０３に記憶する。そして、制御部１０７は、自動停止モードにおいて、撮影開始の指示があると、メモリ１０３に記憶された記録時間の情報を読み出し、タイマ１１２に計測時間としてセットする。
【００２７】
シナリオ撮影モードを説明する。図２は、シナリオ記憶部１１３に記憶されたシナリオデータ２００の一例を示す。シナリオデータ２００は、シナリオのタイトル情報２０１、シナリオ２００に含まれる複数のシーン名の情報２０２、各シーンの推奨撮影時間の情報２０３を有する。シナリオ記憶部１１３には、図２に示す様なシナリオデータが予め複数記憶されている。各シナリオは異なる行事に対応し、一般にシーン数と推奨撮影時間の少なくとも一方が異なる。推奨撮影時間として０秒が設定されている場合には、そのシーンについての推奨撮影時間が有効に設定されていないものと扱う。本実施例では、各推奨撮影時間の長さを、自動停止モードにおける最短記録時間である２秒の整数倍の時間に設定している。
【００２８】
撮影待機状態において、ユーザが操作部１０８を操作してシナリオ選択を指示すると、制御部１０７は、シナリオ記憶部１１３に記憶された複数のシナリオデータを検出する。制御部１０７は、各シナリオのタイトルを表示部１０６に表示するように表示制御部１０５に指示する。ユーザは、操作部１０８で、表示部１０６に表示されたタイトルの中から所望のシナリオデータを選択する。操作部１０８は、複数のシナリオから撮影に適用するシナリオを選択するシナリオ選択手段として機能する。制御部１０７は、ユーザにより選択されたシナリオデータに対し、新たにシナリオタイトルと番号を付加し、更に、対応するシナリオデータを示す識別情報をメモリ１０３に記憶する。
【００２９】
この様にシナリオが選択された後、ユーザは、操作部１０８によりシナリオ撮影モードを設定できる。シナリオ撮影モードが設定されると、制御部１０７は、メモリ１０３に記憶された識別情報に対応するシナリオデータをシナリオ記憶部１１３から読み出す。制御部１０７は、読み出したシナリオデータに含まれる各シーン名を表示部１０６に表示し、ユーザがこれから撮影したいシーンのシナリオを選択する様に促す。ユーザが操作部１０８によりシナリオを選択すると、制御部１０７は、読み出したシナリオデータに基づいて、選択されたシナリオのシーン名と推奨撮影時間の情報を表示部１０６に表示するように表示制御部１０５に指示する。
【００３０】
図４は、シナリオ撮影モードにおいて、撮影中に表示部１０６に表示される画面の一例を示す。図４に示す様に、シナリオ撮影モードを示す情報４０１と、選択されたシナリオのシーン名の情報４０２、及び、推奨撮影時間の情報４０３が表示される。図４では、推奨撮影時間が４秒であることを示す。また、撮影中を示すマーク４０４と撮影開始からの経過時間の情報４０５が表示される。推奨撮影時間が０秒の場合には、推奨撮影時間の情報４０３は表示されない。図４から分かるように、ユーザはシナリオ撮影モードにおいて、表示されたシーン名及び推奨撮影時間の情報を参考にしながら、動画及び音声を記録できる。また、撮影待機状態では、シナリオ撮影モードを示す情報４０１と、選択されたシナリオのシーン名の情報４０２、及び、推奨撮影時間の情報４０３が表示される。
【００３１】
一つのシーンの撮影が終了すると、撮影待機状態となる。制御部１０７は、選択されたシナリオデータに基づいて次のシナリオを自動的に検出し、次のシナリオのシーン名と推奨撮影時間の情報を表示部１０６に表示する。また、ユーザは、同じシーンを再度撮影したい場合、操作部１０８を操作して、前述の様に、先に選択したのと同じシーンを選択すればよい。
【００３２】
シナリオ撮影モードで一つのシーンが撮影されると、制御部１０７は、シナリオ番号とシーン番号を示す付加情報を生成し、管理ファイルに記録する。同じシナリオで複数回撮影した場合、シーン番号に加えて、撮り直し回数を示すテイク番号の情報も動画ファイルの付加情報として管理ファイルに記録する。
【００３３】
本実施例では、シナリオ撮影モードを設定した状態で、自動停止モードを設定して、撮影を自動停止できる。また、ユーザは、シナリオ撮影モードにおいて、各シナリオの撮影推奨時間に合わせて撮影を自動停止するか、又は，自動停止モードにおいて設定した記録時間に合わせて撮影を自動停止するかを選択できる。
【００３４】
図５は、自動停止モードの記録時間の設定画面の一例を示す。ユーザにより自動停止モードの記録時間の設定指示があると、制御部１０７は表示制御部１０５に図５に示すような設定画面５０１を表示する様に指示する。設定画面５０１には、記録時間として２秒の選択肢５０２、４秒の選択肢５０３、８秒の選択肢５０４が表示される。また、シナリオ撮影モードが設定された状態で自動停止モードの記録時間の設定指示があった場合には、更に、シナリオ連動設定情報５０５，５０６が表示される。シナリオ連動設定情報は、シナリオの推奨撮影時間に連動する旨の説明５０５と、チェックボックス５０６からなる。図５に示す例では、自動停止モードの記録時間として４秒が選択されている。制御部１０７は、撮影に適用するとしてユーザにより選択されたシナリオの推奨撮影時間を記録時間とするか、ユーザの指定する時間を記録時間とするかを選択する選択手段として機能する。また、シナリオ撮影モードが設定された状態で自動停止モードの記録時間の設定指示があった場合には、シナリオ連動設定情報５０５，５０６は表示されない様にする。或いは、シナリオ連動設定情報５０５，５０６をグレーアウト表示し、チェックボックス５０６にマーク又はチェックを付加できないようにする。
【００３５】
シナリオの推奨撮影時間に合わせて撮影を自動停止したい場合、ユーザは、タッチパネルを操作して、チェックボックス５０６にマーク又はチェックを入れる。チェックボックス５０６にマークが入ると、制御部１０７は、選択肢５０２，５０３，５０４の選択に関わらず、推奨撮影時間による自動停止を優先する。シナリオの推奨撮影時間ではなく、選択肢５０２，５０４，５０６で選択した記録時間に合わせて撮影を自動停止したい場合、チェックボックス５０６のマークを外す。制御部１０７は、このように設定された自動停止モードの記録時間の情報と、シナリオの推奨撮影時間に合わせて撮影を停止するか否かの情報をメモリ１０３に記憶する。
【００３６】
この様に、ユーザがチェックボックス５０６のマークを付加することで、シナリオ撮影モードでシナリオの推奨撮影時間に合わせて撮影を自動的に停止させることができる。しかも、ユーザは、撮影を自動停止するための時間（記録時間）を、自動停止モードの設定時間か、シナリオの推奨撮影時間かを選択できる。
【００３７】
図６は、制御部１０７による撮影モードの動作フローチャートを示す。図６を参照して、撮影モードの動作を説明する。撮影待機状態でユーザが操作部１０８により撮影開始の指示を制御部１０７に入力すると、図６に示すフローが開始する。
【００３８】
制御部１０７は、現在、シナリオ撮影モードが設定されているか否かを判別する（Ｓ６０１）。シナリオ撮影モードが設定されていた場合、制御部１０７は、自動停止モードが設定されているか否かを判別する（Ｓ６０２）。シナリオ撮影モードで、且つ、自動停止モードが設定されていた場合、制御部１０７は、シナリオの推奨撮影時間に連動して記録時間を設定するシナリオ連動か否かを判別する（Ｓ６０３）。
【００３９】
シナリオ連動が設定されていた場合（Ｓ６０３）、制御部１０７は、現在、選択されているシナリオのシーンに対応する推奨撮影時間を検出する（Ｓ６０４）。制御部１０７は、検出した推奨記録時間が０以外か否かを判別する（Ｓ６０５）。推奨撮影時間が０以外の場合、制御部１０７は、現在、選択されているシナリオのシーンに対応する推奨撮影時間を記録時間Ｔとして設定する（Ｓ６０６）。
【００４０】
他方、シナリオ連動が設定されていない場合（Ｓ６０３）、制御部１０７は、自動停止モードにおいて設定された記録時間を記録時間Ｔとして設定する（Ｓ６１１）。また、推奨撮影時間が０であった場合（Ｓ６０５）、制御部１０７は、自動停止モードにおいて設定された記録時間を記録時間Ｔとして設定する（Ｓ６１１）。
【００４１】
ステップＳ６０６，Ｓ６１１の後、制御部１０７は、前述の様に各部を制御し、動画と音声の記録を開始する（Ｓ６０７）。タイマ１１２から記録開始から記録時間Ｔが経過した旨の通知を受けると、制御部１０７は、動画と音声の記録を停止し（Ｓ６０９）、動画ファイルに関する管理情報を記録媒体１１０に記録する（Ｓ６１０）。
【００４２】
シナリオ撮影モードが設定されていない場合（Ｓ６０１）、制御部１０７は、自動停止モードが設定されているか否かを判別する（Ｓ６１２）。自動停止モードが設定されていない場合、制御部１０７は、手動停止モードが設定されているものとして、前述の様に各部を制御し、動画と音声の記録を開始する（Ｓ６１３）。操作部１０８より記録停止の指示を受けるまで（Ｓ６１４）、記録を継続する。記録停止の指示があると（Ｓ６１４）、制御部１０７は、動画と音声の記録を停止する（Ｓ６１５）。そして、制御部１０７は、動画ファイルに関する管理情報を記録媒体１１０に記録する（Ｓ６１６）。
【００４３】
シナリオ撮影モードが設定されているが、自動停止モードが設定されていない場合（Ｓ６０２）、制御部１０７は、前述の様に各部を制御し、動画と音声の記録を開始する（Ｓ６１３）。操作部１０８より記録停止の指示を受けるまで（Ｓ６１４）、記録を継続する。記録停止の指示があると（Ｓ６１４）、制御部１０７は、動画と音声の記録を停止する（Ｓ６１５）。そして、制御部１０７は、動画ファイルに関する管理情報を記録媒体１１０に記録する（Ｓ６１６）。制御部１０７は更に、現在、選択されているシナリオ番号、シーン番号及びテイク番号の情報を管理情報として記録媒体１１０に記録する。
【００４４】
図７は、シナリオ撮影モードを設定した状態で、自動停止モードが設定された場合に表示部１０６に表示される画面例を示す。図４と同様に、シナリオ撮影モードであることを示す文字情報７０１、シーン名情報７０２、推奨撮影時間情報７０３、撮影中を示すマーク７０４及び経過時間７０５が表示される。
【００４５】
更に、図３と同様に、自動停止モードに関する種々の情報又はマーク等７１１〜７１４が表示される。具体的には、自動停止モードであることをユーザに認識させるための、枠３０１に対応する枠７１１も表示される。そして、マーク３０２，３０３に対応するマーク７１２，７１３も表示される。記録開始からの経過時間に伴い、ハッチング３０４に対応するハッチング７１４に示す様に、枠７１１の色が順次変化する。
【００４６】
シナリオ連動の場合には、記録開始後、推奨撮影時間が経過した時点でちょうど一周する様に、枠７１１の色が変化する。シナリオ連動でない場合には、記録開始後、自動停止モードで設定された記録時間が経過した時点でちょうど一周する様に枠７１１の色が変化する。
【００４７】
本実施例の再生動作を説明する。制御部１０７は、記録媒体１１０に記録された各動画ファイルの再生を、各動画ファイルの撮影モードに応じて分類して管理する。具体的には、記録媒体１１０に記録された動画ファイルを、手動停止モードで記録された動画ファイル、自動停止モードで記録された動画ファイル、及びシナリオ撮影モードで記録された動画ファイルに分類する。更に、シナリオ毎に動画ファイルを分類する。
【００４８】
操作部１０８により再生モードの指示があると、制御部１０７は、記録媒体１１０に記録された管理情報を読み出すように記録再生部１０９に指示する。記録再生部１０９は、記録媒体１１０から各動画ファイルの管理情報を含む管理ファイルを読み出し、メモリ１０３に記憶する。制御部１０７は、管理情報に基づいて、手動停止モードで記録された動画ファイル、自動停止モードで記録された動画ファイル及びシナリオ毎の動画ファイルを判別する。
【００４９】
制御部１０７は、手動停止モード、自動停止モード及び各シナリオのシナリオ名を表示して、これらの何れかをユーザに選択させるための選択画面を表示部１０６に表示するように、表示制御部１０５に指示する。ユーザは操作部１０８を操作して、手動停止モード、自動停止モード及び各シナリオの何れかを選択する。
【００５０】
ユーザにより手動停止モードで撮影された動画ファイルの再生が選択された場合、制御部１０７は、管理情報に基づき、手動停止モードで記録された動画ファイルを検出する。制御部１０７は、各動画ファイルに含まれる動画データの先頭部分を再生するように、記録再生部１０９を制御する。信号処理部１０４は、再生された動画信号の先頭部分を復号化し、表示制御部１０５に送る。表示制御部１０５は、復号化された先頭画面のサイズを縮小して代表画像を生成し、表示部１０６に表示させる。ユーザは操作部１０８を操作し、表示部１０６に表示された各動画ファイルの代表画像のうち、再生したい所望の代表画像を選択し、再生を指示する。
【００５１】
制御部１０７は、再生の指示に従い、選択された代表画像に対応する動画ファイルを再生するように記録再生部１０９を制御する。記録再生部１０９は、指定された動画ファイルを記録媒体から再生し、メモリ１０３に記憶する。信号処理部１０４はメモリ１０３から動画データを読み出して復号化し、復号化された動画データをメモリ１０３に記憶する。表示制御部１０５は、メモリ１０３から復号された動画データを読み出し、表示部１０６に表示させる。これにより、選択された代表画像に対応する動画像が、表示部１０６の画面に表示される。
【００５２】
ユーザから再生停止の指示があると、制御部１０７は、動画ファイルの再生を停止し、代表画像を表示部１０６に表示させる。
【００５３】
ユーザにより自動停止モードで撮影された動画ファイルの再生が選択された場合、制御部１０７は、管理情報に基づき、自動停止モードで記録された動画ファイルを検出する。制御部１０７は、各動画ファイルに含まれる動画データの先頭部分を再生するように記録再生部１０９を制御する。信号処理部１０４は、再生された動画信号の先頭部分を復号化し、表示制御部１０５に送る。表示制御部１０５は、復号化された先頭画面のサイズを縮小して代表画像を生成し、表示部１０６に表示させる。ユーザは操作部１０８を操作し、表示部１０６に表示された各動画ファイルの代表画像のうち、再生したい所望の代表画像を選択し、再生を指示する。
【００５４】
制御部１０７は、再生の指示に従い、選択された代表画像に対応する動画ファイルを再生するように記録再生部１０９を制御する。記録再生部１０９は、指定された動画ファイルを記録媒体から再生し、メモリ１０３に記憶する。信号処理部１０４はメモリ１０３から動画データを読み出して復号化し、復号化された動画データをメモリ１０３に記憶する。表示制御部１０５は、メモリ１０３から復号化された動画データを読み出し、表示部１０６に表示させる。これにより、選択された代表画像に対応する動画像が、表示部１０６の画面に表示される。
【００５５】
制御部１０７は、一つの動画ファイルの再生が終了すると、自動的に次の動画ファイルを再生するように記録再生部１０９に指示する。このように、自動記録モードで記録された動画を再生する場合には、記録した順に複数の動画ファイルを自動的に連続して再生する。そして、ユーザによる再生停止の指示があると、制御部１０７は、動画ファイルの再生を停止し、再び、代表画像を表示部１０６に表示させる。
【００５６】
また、ユーザにより何れかのシナリオが再生対象として選択された場合、制御部１０７は、選択されたシナリオのシナリオ番号を検出する。制御部１０７は、記録媒体１１０に記録された動画ファイルから、選択されたシナリオと同じシナリオ番号が管理情報として付加された動画ファイルを検出する。制御部１０７は、検出された各動画ファイルに含まれる動画データの先頭部分を再生するように記録再生部１０９を制御する。信号処理部１０４は、再生された動画データの先頭部分を信号処理部１０４により復号化し、表示制御部１０５に送る。制御部１０７は、選択されたシナリオのシナリオデータに基づき、各シーンのシーン名の情報を検出し、表示制御部１０５に送る。表示制御部１０５は、復号された先頭画面のサイズを縮小して各シーンの代表画像を生成し、各シーンのシーン名と共に表示部１０６に表示する。ユーザは、操作部１０８を操作し、表示部１０６に表示された各動画ファイルの代表画像のうち、再生したい代表画像を選択し、再生を指示する。
【００５７】
制御部１０７は、ユーザによるこの再生指示に従い、選択された代表画像に対応した動画ファイルを再生するように記録再生部１０９を制御する。記録再生部１０９は、指定された動画ファイルを記録媒体から再生し、メモリ１０３に記憶する。信号処理部１０４は、メモリ１０３から動画データを読み出して復号化し、復号化された動画データをメモリ１０３に記憶する。表示制御部１０５は、メモリ１０３から復号化された動画データを読み出し、表示部１０６に動画させる。これにより、選択された代表画像に対応する動画像が、表示部１０６の画面に表示される。
【００５８】
ユーザによる再生停止の指示に従い、制御部１０７は、動画ファイルの再生を停止し、再び、代表画像を表示部１０６に表示させる。
【００５９】
本実施例では、ユーザは、選択されたシナリオに対応した動画ファイルの代表画像を表示している状態で、各動画ファイルの再生順序を変更できる。その操作手順を説明する。ユーザが操作部１０８を操作して、再生順序を変更したいシーンの代表画像を指定した後、指定したシーンの再生位置を指定する。制御部１０７は、再生順序が変更されると、指定された動画ファイルのシーン番号を示す管理情報を変更するように記録再生部１０９に指示する。これにより、記録後に、シナリオ内で各シーンの再生順序を変更することができる。
【００６０】
以上の説明から容易に理解できるように、本実施例では、シナリオ撮影モードでも自動停止モードで動画を撮影できる。更には、ユーザは、自動停止するまでの時間、すなわち記録時間を、自動停止モードでの設定時間と、選択されたシナリオの推奨記録時間の何れにも設定できる。
【図１】
0005743512.tif 000002
【図２】
0005743512.tif 000003
【図３】
0005743512.tif 000004
【図４】
0005743512.tif 000005
【図５】
0005743512.tif 000006
【図６】
0005743512.tif 000007
【図７】
0005743512.tif 000008